(57)【要約】【課題】構造を複雑化することなく幼児等の取扱いの危険性を防止可能な電池ホルダを具備する補聴器を提供する。【解決手段】補聴器の電池ホルダ３は、ボタン型電池１０を着脱自在に収納可能であって、棒状の保持ピン１１を支点に回動して開閉し、ボタン型電池１０の外周面１３を取り囲む内周面２０と、ボタン型電池１０の１対の電極面１２を部分的に覆う１対の電極カバー部２１とがボタン型電池１０の収納空間及び開口部分を構成する。電池ホルダ３の内周面２０の一端の近傍には開口部分に突出する突出部を有するストッパ部材２３が設けられ、ストッパ部材２３から内周面２０の他端に至る開口部分の長さＬ２がボタン型電池１０の直径Ｄよりも大きく、かつ、電池ホルダ３とストッパ部材２３の変形により開口部分を介してボタン型電池１０を収納空間に挿入可能となっている。【選択図】図３
2018170737.tif 000002
【特許請求の範囲】
【請求項１】
ボタン型電池を着脱自在に収納可能な電池ホルダと、前記電池ホルダを補聴器本体に組み付ける棒状の保持部材とを具備し、前記電池ホルダが前記保持部材を支点に回動して開閉する補聴器であって、
前記電池ホルダには、前記ボタン型電池の外周面を取り囲む内周面と、前記ボタン型電池の１対の電極を部分的に覆う１対の電極カバー部とにより、前記ボタン型電池の収納空間及び開口部分が構成され、
前記電池ホルダのうち前記内周面の一端の近傍には、前記内周面から前記開口部分に突出する突出部を有するストッパ部材が設けられ、
前記突出部から前記内周面の他端に至る前記開口部分の長さは、前記ボタン型電池の直径よりも短く、かつ、前記電池ホルダと前記ストッパ部材の一方又は両方の変形により前記開口部分を介して前記ボタン型電池を前記収納空間に挿入可能に設定される、
ことを特徴とする補聴器。
【請求項２】
前記ストッパ部材は、前記保持部材を支点に前記補聴器本体に対し前記電池ホルダと一体的に回動されることを特徴とする請求項１に記載の補聴器。
【請求項３】
前記ボタン型電池は所定の直径Ｄの円筒形状を有し、前記ストッパ部材が前記開口部分に配設されない場合の前記開口部分の長さＬ１と、前記ストッパ部材が前記開口部分に配設される場合の前記開口部分の長さＬ２とに対し、
Ｌ１＞Ｄ＞Ｌ２
の関係が成り立つことを特徴とする請求項１又は２のいずれか１項に記載の補聴器。
【請求項４】
前記ストッパ部材は、前記保持部材を介して、前記電池ホルダの取付部に着脱自在に取り付けられることを特徴とする請求項１乃至３のいずれか１項に記載の補聴器。
【請求項５】
前記電池ホルダには、前記内周面の所定箇所に外部と前記収納空間とを連通する穴部が形成されていることを特徴とする請求項１乃至４のいずれか１項に記載の補聴器。
【請求項６】
前記ストッパ部材は、前記保持部材の軸方向に所定の範囲で移動可能であり、
前記ストッパ部材が前記所定の範囲の一端に位置する場合、前記開口部分の長さは前記電池の直径より長く、
前記ストッパ部材が前記所定の範囲の他端に位置する場合、前記開口部分の長さは前記電池の直径より短い、
ことを特徴とする請求項１乃至３のいずれか１項に記載の補聴器。
【請求項７】
着脱自在に取り付けられて開状態と閉状態とを移行可能であり、内部の収納空間にボタン型電池を着脱自在に収納可能な電池ホルダであって、
前記ボタン型電池の外周面を取り囲む内周面と、前記ボタン型電池の１対の電極を部分的に覆う１対の電極カバー部とにより前記収納空間及び開口部分が構成され、
前記電池ホルダのうち前記内周面の一端の近傍には、前記内周面から前記開口部分に突出する突出部を有するストッパ部材が設けられ、
前記突出部から前記内周面の他端に至る前記開口部分の長さは、前記ボタン型電池の直径よりも短く、かつ、前記電池ホルダと前記ストッパ部材の一方又は両方の変形により前記開口部分を介して前記ボタン型電池を前記収納空間に挿入可能に設定される、
ことを特徴とする電池ホルダ。
【発明の詳細な説明】
【技術分野】
【０００１】
本発明は、ボタン型電池を着脱自在に収納可能な電池ホルダを具備する補聴器に関するものである。
【背景技術】
【０００２】
一般に、ボタン型電池により駆動される補聴器は、電池を交換する必要があるため、補聴器に設けた電池ホルダに電池を着脱自在に収納し得る構造が採用される。しかし、このような収納構造を採用した補聴器によれば、例えば、幼児が補聴器から電池を取り出して、飲み込んでしまう危険性も想定される。このように幼児が補聴器を扱う際の危険性に関しては、特別な規格が定められている（例えば、JIST0601-2-66）。例えば、この規格には、年齢が３６ケ月未満の乳幼児に対して補聴器を適用する場合、工具を使用して電池を取り外す構造や、取り外しに１０Ｎ以上の力を要する構造などに関する規格が含まれる。
【０００３】
また、補聴器の電池ホルダの構造の工夫により、前述の幼児への危険性を除去する技術が提案されている。例えば、特許文献１には、補聴器から取り外し可能な電池ホルダに関し、電池を収容する第１のパーツと、電池ホルダの位置を補聴器のハウジングに固定する第２のパーツとにより構成し、第１及び第２のパーツの相互係合のための解除可能な係合手段を設けることで、幼児のいたずら防止を実現する構造が開示されている。
【先行技術文献】
【特許文献】
【０００４】
【特許文献１】特許第４２２３００６号公報
【発明の概要】
【発明が解決しようとする課題】
【０００５】
しかしながら、上記特許文献１に開示された構造を採用することは、幼児のいたずら対策には有効ではあるが、２つのパーツを組み合わせた電池ホルダの構造が複雑化するので、小型化やコスト低減に支障を来すことが問題となる。従って、本発明はこれらの問題を解決するためになされたものであり、電池ホルダの構造を複雑化することなく、幼児等が補聴器を取扱うことに伴う危険性を有効に防止し、小型化及び低コスト化に適した補聴器を提供するものである。
【課題を解決するための手段】
【０００６】
上記課題を解決するために、本発明の補聴器の一態様は、ボタン型電池を着脱自在に収納可能な電池ホルダと、前記電池ホルダを補聴器本体に組み付ける棒状の保持部材とを具備し、前記電池ホルダが前記保持部材を支点に回動して開閉する補聴器であって、前記電池ホルダには、前記ボタン型電池の外周面を取り囲む内周面と、前記ボタン型電池の１対の電極を部分的に覆う１対の電極カバー部とにより、前記ボタン型電池の収納空間及び開口部分が構成され、前記電池ホルダのうち前記内周面の一端の近傍には、前記内周面から前記開口部分に突出する突出部を有するストッパ部材が設けられ、前記突出部から前記内周面の他端に至る前記開口部分の長さは、前記ボタン型電池の直径よりも短く、かつ、前記電池ホルダと前記ストッパ部材の一方又は両方の変形（弾性による伸縮や撓み等）により前記開口部分を介して前記ボタン型電池を前記収納空間に挿入可能に設定されることを特徴としている。
【０００７】
本発明の補聴器によれば、補聴器の電池ホルダにボタン型電池を収納する際は、電池ホルダの開口部分にボタン型電池が押し込まれて、電池ホルダとストッパ部材の一方又は両方が変形することで、ボタン型電池を収納空間に収納させることができるとともに、変形が元に戻った状態でボタン型電池を取り出すには、ストッパ部材の存在によって相当の力を要する。この場合、ボタン型電池の１対の電極を部分的に覆う１対の電極カバー部が邪魔になるため、幼児等が指でボタン型電池を外部に摘まみ出すことを確実に防止することができる。
【０００８】
本発明のストッパ部材は、保持部材を支点に補聴器本体に対し電池ホルダと一体的に回動可能な構造を採用することができる。また、ストッパ部材を、保持部材を介して電池ホルダの取付部に着脱自在に取り付けてもよい。
【０００９】
本発明における寸法関係の例としては、ボタン型電池が平面視で所定の直径Ｄの円筒形状を有し、ストッパ部材が開口部分に配設されない場合の前記開口部分の長さＬ１と、前記ストッパ部材が開口部分に配設される場合の前記開口部分の長さＬ２とに対し、Ｌ１＞Ｄ＞Ｌ２の関係が成り立つようにする。これにより、電池ホルダと前記ストッパ部材の一方又は両方の変形（撓み）を前提とすれば、一時的に開口部分を押し広げてボタン型電池を挿入した後、開口部分の長さがＬ２に安定するので、それより大きい直径Ｄのボタン型電池を安定に収納することができる。
【００１０】
本発明の電池ホルダには、内周面の所定箇所に外部と前記収納空間とを連通する穴部を形成することが望ましい。これにより、前述の構造によって幼児が指でボタン型電池を摘まみ出すことを防止しつつ、必要に応じて、硬質で細長い部材（ボールペンや爪楊枝など）を用いて、穴部を介してボタン型電池を電池ホルダの外部に押し出すことが可能となる。
【００１１】
本発明のストッパ部材は、保持部材の軸方向に所定の範囲で移動可能とし、ストッパ部材が所定の範囲の一端に位置する場合には開口部分の長さが電池の直径より長くなり、かつ、ストッパ部材が所定の範囲の他端に位置する場合には開口部分の長さが電池の直径より短くなる構造を採用することができる。
【００１２】
上記構造を採用することにより、既に述べた作用効果に加えて、電池ホルダからストッパ部材を取り外すことなく、ストッパ部材の位置を移動させることにより、電池ホルダに収納されたボタン型電池の取り出しを防止する機能の有効と無効を容易に切り替えることができる。
【００１３】
また、上記課題を解決するために、本発明の電池ホルダは、着脱自在に取り付けられて開状態と閉状態とを移行可能であり、内部の収納空間にボタン型電池を着脱自在に収納可能な電池ホルダであって、前記ボタン型電池の外周面を取り囲む内周面と、前記ボタン型電池の１対の電極を部分的に覆う１対の電極カバー部とにより前記収納空間及び開口部分が構成され、前記電池ホルダのうち前記内周面の一端の近傍には、前記内周面から前記開口部分に突出する突出部を有するストッパ部材が設けられ、前記突出部から前記内周面の他端に至る前記開口部分の長さは、前記ボタン型電池の直径よりも短く、かつ、前記電池ホルダと前記ストッパ部材の一方又は両方の変形により前記開口部分を介して前記ボタン型電池を前記収納空間に挿入可能に設定されることを特徴としている。
【発明の効果】
【００１４】
本発明によれば、補聴器の電池ホルダとして、ストッパ部材と１対の電極カバー部の作用により、収納空間内のボタン型電池を幼児等が摘まみ出すことを確実に防止し得る収納構造を実現し、これにより危険性に関する規格を満たすとともに、簡素な構造により補聴器の小型化及び低コスト化にも貢献することが可能となる。
【図面の簡単な説明】
【００１５】
【図１】第１実施形態の補聴器の一例を示す外観図である。
【図２】図１の補聴器に関し、電池ホルダの開状態を示す図である。
【図３】第１実施形態の補聴器の電池ホルダ及びボタン型電池の斜視図である。
【図４】図３の電池ホルダ及びボタン型電池を、矢印Ａ方向から見た中央断面図である。
【図５】電池ホルダにボタン型電池が収納された状態に関し、図３に対応する斜視図である。
【図６】電池ホルダにボタン型電池が収納された状態に関し、図４に対応する中央断面図である。
【図７】第１実施形態のストッパ部材の構造例を示す斜視図である。
【図８】第２実施形態の補聴器において電池ホルダにボタン型電池が収納された状態に関し、ストッパ部材が突当部に突き当たる位置にある場合の斜視図である。
【図９】第２実施形態の補聴器において電池ホルダにボタン型電池が収納された状態に関し、ストッパ部材が収納空間に突出しない位置にある場合の斜視図である。
【図１０】第２実施形態のストッパ部材の構造例を示す斜視図である。
【発明を実施するための形態】
【００１６】
以下、本発明の好適な実施形態について、図面を参照しながら説明する。ただし、以下に述べる２つの実施形態は本発明の技術思想を適用した形態の例であって、本発明が本実施形態の内容により限定されることはない。
【００１７】
［第１実施形態］
図１は、第１実施形態の補聴器の一例を示す外観図である。図１に示すように、第１実施形態の補聴器１は、例えば耳かけ型補聴器であって、補聴器本体２と、補聴器本体２に取り付けられる電池ホルダ３と、補聴器本体２に接続される音導チューブ４と、音導チューブ４の先端に接続されるイヤチップ（不図示）とにより構成される。補聴器本体２は、一体的に組み立てられたケースの内部に各種構成部材が収納されている。また、補聴器本体２には電池ホルダ３が取り付けられるとともに、補聴器本体２の一端に音導チューブ４が接続されている。
【００１８】
補聴器本体２に収納される構成部材には、音を収集するマイクロホン、補聴処理等を実行するＤＳＰ（Digital Signal Processor）、音を出力するイヤホンなどが含まれる。このうち、補聴器本体２のイヤホンから出力される音は、音導チューブ４を経由してイヤチップが挿入される外耳道まで導かれる。
【００１９】
一方、電池ホルダ３は、補聴器本体２内の各部への電力源となるボタン型電池１０（図３）を着脱自在に収納する役割を有する。電池ホルダ３は、棒状の保持ピン１１（本発明の保持部材）を介して補聴器本体２に組み付けられて、保持ピン１１を支点として補聴器本体２に対して回動可能である。図１は電池ホルダ３の閉状態を示しているのに対して、図２は、図１と同様の補聴器１に関し、電池ホルダ３の開状態を示している。すなわち、電池ホルダ３は、図１の閉状態から保持ピン１１を支点に回動させることにより、図２の開状態に移行するので、ボタン型電池１０の交換が可能となる。
【００２０】
次に、図１の電池ホルダ３の具体的な構造について説明する。まず、電池ホルダ３にボタン型電池１０が収納されていない状態に関し、図３は第１実施形態の補聴器１の電池ホルダ３及びボタン型電池１０の斜視図を示しており、図４は図３の電池ホルダ３及びボタン型電池１０を、矢印Ａ方向から見た中央断面図を示している。また、電池ホルダ３にボタン型電池１０が収納された状態に関し、図５は図３に対応する斜視図を示しており、図６は図４に対応する中央断面図を示している。
【００２１】
ボタン型電池１０は、略円筒形状であり、対向する両平面である電極面１２ａ、１２ｂ（以下、１対の電極面１２と表記する場合がある）を備えている。電池ホルダ３は、ボタン型電池１０を収納するための収納構造として、ボタン型電池１０の外周面１３を取り囲む湾曲形状を有する内周面２０を備えるとともに、１対の電極面１２を部分的に覆うように内周面２０から延伸される１対の電極カバー部２１（２１ａ、２１ｂ）が形成され、主に内周面２０及び１対の電極カバー部２１がボタン型電池１０の収納空間及び開口部分を構成している。また、電池ホルダ３には、内周面２０の一方の端部近傍にて、軸穴に挿入される前述の保持ピン１１を介して電池ホルダ３を補聴器本体２に取り付ける取付部２２が形成されている。この取付部２２には、保持ピン１１を介して、内周面２０の位置から開口部分に突出するストッパ部材２３を取り付ける構造となっている。
【００２２】
図３及び図４に示すように、内周面２０は、ボタン型電池１０の外周面１３の略半分を取り囲む円弧形状を有し、内周面２０を挟んで対向する１対の電極カバー部２１の間隔が、ボタン型電池１０の厚さより若干大きく設定されている。そして、内周面２０の曲率半径が、ボタン型電池１０の曲率半径より若干大きくなるように設定されている。実際のボタン型電池１０のサイズは、ある程度のバラツキが想定されるため、内周面２０における収納空間に余裕を持たせたものである。
【００２３】
また、電極カバー部２１は、電池ホルダ３に収納されているボタン型電池１０を使用者が指で摘み出せないようにする役割を担い、ボタン型電池１０の１対の電極面１２を指で容易に触れられない程度にカバーする面積を有する。ここでは、一方の電極カバー部２１ｂの面積は、ボタン型電池１０の一方の電極面１２ｂにいくらか触れられる程度で、他方の電極カバー部２１ａに比べて小さくなっているが、少なくともボタン型電池１０の１対の電極面１２を２本の指で挟むことは防止することができるようにしている。ただし、ボタン型電池１０が電池ホルダ３に収納された状態で、１対の電極面１２に形成されるそれぞれの電極を、補聴器本体２内の回路部と電気的に接続する端子部分（不図示）と接触させる必要があるため、電極カバー部２１ａ、２１ｂは、例えば、図３に示すように、一方の電極カバー部２１ａの略中央に開口が形成され、他方の電極カバー部２１ｂの略中央は平面視でアールを有する凹状に形成されている。
【００２４】
ストッパ部材２３は、平面視で内周面２０の両端を結んだ開口部分に向かって突出した形状を有する。具体的には、図４に示すように、ストッパ部材２３が配設されない場合の開口部分の長さをＬ１とし、ストッパ部材２３が配設される場合の開口部分の長さをＬ２としたとき、Ｌ１＞Ｌ２の関係にある。また、平面視でボタン型電池１０の直径をＤとしたとき、Ｌ１＞Ｄ＞Ｌ２の関係にある。電池ホルダ３及びストッパ部材２３は弾性を有する材料で形成されているので、ストッパ部材２３を配設した状態の開口部分を経由してボタン型電池１０を押し込む際、電池ホルダ３自体（主に内周面２０）及びストッパ部材２３が変形（弾性による伸縮や撓み等）することで開口部分が広がり、これによりボタン型電池１０を電池ホルダ３に収納することができる。第１実施形態において適用可能な寸法例には自由度があるが、例えば、Ｌ１＝８．４ｍｍ、Ｄ＝８ｍｍ、Ｌ２＝７．８ｍｍ程度に設定することができる。
【００２５】
一方、ボタン型電池１０が電池ホルダ３に収納された状態になると、内周面２０及びストッパ部材２３の変形が元に戻り、図６に示すように、前述の開口部分に突き出たストッパ部材２３の存在によりボタン型電池１０の取り出しが抑制される。前述の寸法関係Ｄ＞Ｌ２を考慮すると、ボタン型電池１０を外部に押し出すには、開口部分の長さＬ２を少なくともボタン型電池１０の直径Ｄに広げるだけの力を加える必要があるが、前述したように、１対の電極カバー部２１が存在するために、ボタン型電池１０を指で摘まんで力を加えることは困難である。
【００２６】
ここで、図４及び図６に示すように、電池ホルダ３には、内周面２０の略中央に、ボタン型電池１０の収納空間と外部を連通する穴部２４が形成されている。この穴部２４は、外部から取り出し部材を挿入し、電池ホルダ３に収納されているボタン型電池１０を押し出して取り外す際に利用される。取り出し部材としては、一般家庭にあるボールペンや爪楊枝などを使用できるようにする。よって、穴部２４の径はボールペンや爪楊枝などの挿入可能な程度に設定すればよい。なお、第１実施形態の補聴器１において、ボタン型電池１０の取り出し部材として、穴部２４に挿入可能な硬質の材料からなる専用の棒状部材を予め用意しておいてもよい。
【００２７】
内周面２０、電極カバー部２１、取付部２２を有する電池ホルダ３の材料としては、例えば、ポリカーボネート等の樹脂材料が用いられる。また、ストッパ部材２３の材料としては、例えば、ＡＢＳ樹脂等の樹脂材料が用いられる。実際の電池ホルダ３自体及びストッパ部材２３は多様な材料選択が可能であり、ボタン型電池１０の挿入時の変形量は、それぞれの材料の弾性等に依存する。なお、第１実施形態では、電池ホルダ３自体（主に内周面２０）とストッパ部材２３の両方が変形する場合を説明したが、ボタン型電池１０を挿入する際に開口部分の広がりを確保できれば、電池ホルダ３自体とストッパ部材２３の一方のみが変形する構造としてもよい。
【００２８】
次に図７は、ストッパ部材２３の構造例を示す斜視図である。図７に示すように、ストッパ部材２３には、電池ホルダ３に収納されたボタン型電池１０の取り出しを妨げる突出部２３ａと、保持ピン１１が挿入される軸側凹部２３ｂとが形成されている。よって、突出部２３ａは、軸側凹部２３ｂが電池ホルダ３の取付部２２の軸穴に連なる位置で保持ピン１１に固定され、この状態で突出部２３ａが前述のＬ１−Ｌ２の長さだけ開口部分に突出することになる。ストッパ部材２３には、突出部２３ａ側から軸側凹部２３ｂ側の間に凹みとなる取付側凹部２３ｃが両側に形成されており、取付部２２の形状に合致する段差構造を有する（図３参照）。よって、ストッパ部材２３は、電池ホルダ３の開閉の際に、電池ホルダ３と一体的に動くことになる。また、保持ピン１１を抜いた状態では取付部２２から容易に取り外すことが可能である。
【００２９】
第１実施形態では、ストッパ部材２３を電池ホルダ３に着脱自在な構造を示したが、上述の機能を果たすことを前提に、ストッパ部材２３を電池ホルダ３に固定的に取り付ける構造としてもよい。ただし、ストッパ部材２３を電池ホルダ３に着脱自在とすれば、幼児等への安全性への規格が要求されない補聴器１への適用時にはストッパ部材２３を予め取り外して対応可能であり、電池ホルダ３からボタン型電池１０を容易に取り外せる構造を実現することができる。
【００３０】
また、ストッパ部材２３は、所定の色で着色することができる。この場合、補聴器１は左右１対がセットとなるので、左右の１対のストッパ部材２３を色違い（例えば、青と赤）としてもよい。また例えば、外観が同一であって型式が異なる補聴器１を判別するために、色違いのストッパ部材２３を用意してもよい。
【００３１】
以上説明したように、第１実施形態の電池ホルダ３の収納構造を採用することにより、ボタン型電池１０を電池ホルダ３の収納空間に挿入することは可能であるが、その状態から、主にストッパ部材２３及び電極カバー部２１の機能により、ボタン型電池１０を指で摘まんで外部に取り出すことが困難になる。いったん電池ホルダ３に収納されたボタン型電池１０は、例えば、穴部２４を介してピン等で押し出す等の手段でのみ取り出すことができる。よって、幼児等が補聴器１からボタン型電池１０を取り出して、飲み込んでしまうなどの危険性を未然に防止することができ、幼児のいたずら等に伴う危険性に関する所定の規格（例えば、JIST0601-2-66）を満たすことができる。また、特許文献１に開示されたような複雑な構造は不要であり、簡素な構造で補聴器１の小型化及び低コスト化に適した電池ホルダ３を実現することができる。
【００３２】
［第２実施形態］
次に、第２実施形態の補聴器について説明する。第２実施形態では、補聴器全体の構造及び機能の多くは第１実施形態と共通であるため説明を省略するものとし、主に電池ホルダ３の構造上の特徴について図８〜１０を参照して説明する。第２実施形態において、第１実施形態との主な相違は、保持ピン１１に沿ってスライド（移動）可能なストッパ部材２５を採用した点である。図８及び図９は、第２実施形態の補聴器１のうち電池ホルダ３にボタン型電池１０が収納された状態に関し、電池ホルダ３及びボタン型電池１０の斜視図であって、ストッパ部材２５が２つの異なる位置にある場合を対比している。また、図１０は、ストッパ部材２５の構造例を示す斜視図である。
【００３３】
図８及び図９に示すように、電池ホルダ３の取付部２２には、保持ピン１１の軸穴に対してストッパ部材２５をスライドさせる領域を切り欠いた部分を含む空間部２６が形成されている。空間部２６は、ストッパ部材２５の断面形状に適合した形状を有し、前述の収納空間と部分的に連通している。また、空間部２６の所定位置（空間部２６を切り欠いた部分の端部）に突当部２６ａ（図９参照）が設けられ、突当部２６ａから奥にはストッパ部材２５がスライドしない構造となっている。すなわち、空間部２６の一端から挿入したストッパ部材２５は、空間部２６の一端から突当部２６ａの範囲内を自在に移動させることができる。図８では、ストッパ部材２５が突当部２６ａに突き当たる状態で位置決めされ、ストッパ部材２５が収納空間の開口部分に突出している（本発明の第１の状態）。また、図９では、ストッパ部材２５が電極カバー部２１ｂ側の位置にあり、ストッパ部材２５は収納空間の開口部分に突出していない（本発明の第２の状態）。
【００３４】
図１０に示すように、ストッパ部材２５には、電池ホルダ３に収納されたボタン型電池１０の取り出しを妨げる突出部２５ａと、保持ピン１１が挿入される空芯２５ｃを有する円筒部２５ｂと、突出部２５ａ及び円筒部２５ｂの間の凹み部２５ｄとが形成されている。前述したように、円筒部２５ｂ及び凹み部２５ｄの外周形状が空間部２６の断面形状に適合するので、凹み部２５ｄの両側に取付部２２が部分的に係合することにより、ストッパ部材２５をスライドさせることができる。ストッパ部材２５は、円筒部２５ｂの空芯２５ｃが空間部２６のうちの軸穴と連なる位置で保持ピン１１に固定される。図１０の構造により、ストッパ部材２５は保持ピン１１の軸方向にスライドさせることができるが、凹み部２５ｄと取付部２２の係合構造により、保持ピン１１の径方向には動かすことができない。
【００３５】
第２実施形態において、例えば、図４の中央断面図の関係と同様、ストッパ部材２５を突当部２６ａに突き当たる位置（図８の位置）までスライドさせると、突出部２５ａにより開口部分の長さが短くなり、収納空間のボタン型電池１０の取り出しを抑制することができる。これに対し、ストッパ部材２５が電極カバー部２１ｂ側の位置（図９の位置）にある場合は、開口部分から外れた状態になり、電池ホルダ３に収納されたボタン型電池１０を容易に取り出すことができる。このように、第２実施形態ではボタン型電池１０を取り出す際には単にストッパ部材２５を移動させればよいので、電池ホルダ３には第１実施形態の穴部２４を設ける必要はない。
【００３６】
第２実施形態において、ストッパ部材２５の移動を容易にするため、専用の移動用部材を予め用意してもよい。例えば、先端がストッパ部材２５の突出部２５ａを挟むことが可能な形状を有する移動用部材を用いることができる。このような移動用部材を用いることにより、ストッパ部材２５の突出部２５ａを指で挟んで移動させるのに比べて作業性の向上が可能となる。
【００３７】
第２実施形態の補聴器１は、第１実施形態の補聴器１と同様の効果に加えて、電池ホルダ３からストッパ部材２５を取り外すことなく、ボタン型電池１０の取り出しを防止する機能（以下、「取出し防止機能」と呼ぶ）の有効／無効を選択的に切り替えることができるという効果を有する。具体的には、ボタン型電池１０の取出し防止機能を有効にする場合には、ストッパ部材２５を突当部２６ａに突き当たる位置（図８の位置）に設定することで、電池ホルダ３からのボタン型電池１０の取り出しが防止可能なる。一方、ボタン型電池１０の取出し防止機能を無効にする場合には、ストッパ部材２５を電極カバー部２１ｂ側の位置（図９の位置）に設定することで、電池ホルダ３からボタン型電池１０を容易に取り出すことが可能となる。前述の第１実施形態では、ストッパ部材２３を取り外さない限り取出し防止機能を無効にできないのに対し、第２実施形態では、ストッパ部材２５をスライドさせるだけで取出し防止機能の有効と無効を切り替えることができる。
【００３８】
以上、第１及び第２実施形態に基づき本発明の内容を具体的に説明したが、本発明は上述の実施形態に限定されるものではなく、その要旨を逸脱しない範囲で多様な変更を施すことができる。例えば、本実施形態の補聴器１としては、耳かけ型補聴器や耳あな型補聴器などを含む多様な種別の補聴器に対して本発明を適用することができる。また、その他の点についても、本発明の作用効果を得られる限り、上記各実施形態に開示した内容には限定されることなく、適宜に変更可能である。
【符号の説明】
【００３９】
１…補聴器
２…補聴器本体
３…電池ホルダ
４…音導チューブ
１０…ボタン型電池
１１…保持ピン
１２（１２ａ、１２ｂ）…電極面
１３…（ボタン型電池の）外周面
２０…内周面
２１（２１ａ、２１ｂ）…電極カバー部
２２…取付部
２３、２５…ストッパ部材
２４…穴部
２６…空間部
２６ａ…突当部
【図１】
2018170737.tif 000003
【図２】
2018170737.tif 000004
【図３】
2018170737.tif 000005
【図４】
2018170737.tif 000006
【図５】
2018170737.tif 000007
【図６】
2018170737.tif 000008
【図７】
2018170737.tif 000009
【図８】
2018170737.tif 000010
【図９】
2018170737.tif 000011
【図１０】
2018170737.tif 000012
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ボタン型電池を着脱自在に収納可能な電池ホルダと、前記電池ホルダを補聴器本体に組み付ける棒状の保持部材とを具備し、前記電池ホルダが前記保持部材を支点に回動して開閉する補聴器であって、
前記電池ホルダには、前記ボタン型電池の外周面を取り囲む内周面と、前記ボタン型電池の１対の電極を部分的に覆う１対の電極カバー部とにより、前記ボタン型電池の収納空間及び開口部分が構成され、
前記電池ホルダのうち前記内周面の一端の近傍には、前記内周面から前記開口部分に突出する突出部を有するストッパ部材が設けられ、
前記突出部から前記内周面の他端に至る前記開口部分の長さは、前記ボタン型電池の直径よりも短く、かつ、前記電池ホルダと前記ストッパ部材の一方又は両方の変形により前記開口部分を介して前記ボタン型電池を前記収納空間に挿入可能に設定され、
前記ストッパ部材は、前記保持部材を介して、前記電池ホルダの取付部に着脱自在に取り付けられることを特徴とする補聴器。
【請求項２】
前記ストッパ部材は、前記保持部材を支点に前記補聴器本体に対し前記電池ホルダと一体的に回動されることを特徴とする請求項１に記載の補聴器。
【請求項３】
前記ボタン型電池は所定の直径Ｄの円筒形状を有し、前記ストッパ部材が前記開口部分に配設されない場合の前記開口部分の長さＬ１と、前記ストッパ部材が前記開口部分に配設される場合の前記開口部分の長さＬ２とに対し、
Ｌ１＞Ｄ＞Ｌ２
の関係が成り立つことを特徴とする請求項１又は２のいずれか１項に記載の補聴器。
【請求項４】
前記電池ホルダには、前記内周面の所定箇所に外部と前記収納空間とを連通する穴部が形成されていることを特徴とする請求項１乃至３のいずれか１項に記載の補聴器。
【請求項５】
前記ストッパ部材は、前記保持部材の軸方向に所定の範囲で移動可能であり、
前記ストッパ部材が前記所定の範囲の一端に位置する場合、前記開口部分の長さは前記電池の直径より長く、
前記ストッパ部材が前記所定の範囲の他端に位置する場合、前記開口部分の長さは前記電池の直径より短い、
ことを特徴とする請求項１乃至３のいずれか１項に記載の補聴器。
【請求項６】
着脱自在に取り付けられて開状態と閉状態とを移行可能であり、内部の収納空間にボタン型電池を着脱自在に収納可能な電池ホルダであって、
前記ボタン型電池の外周面を取り囲む内周面と、前記ボタン型電池の１対の電極を部分的に覆う１対の電極カバー部とにより前記収納空間及び開口部分が構成され、
前記電池ホルダのうち前記内周面の一端の近傍には、前記内周面から前記開口部分に突出する突出部を有するストッパ部材が設けられ、
前記突出部から前記内周面の他端に至る前記開口部分の長さは、前記ボタン型電池の直径よりも短く、かつ、前記電池ホルダと前記ストッパ部材の一方又は両方の変形により前記開口部分を介して前記ボタン型電池を前記収納空間に挿入可能に設定され、
前記ストッパ部材は、棒状の保持部材を介して、前記電池ホルダの取付部に着脱自在に取り付けられることを特徴とする電池ホルダ。
【手続補正２】
【補正対象書類名】明細書
【補正対象項目名】０００６
【補正方法】変更
【補正の内容】
【０００６】
上記課題を解決するために、本発明の補聴器の一態様は、ボタン型電池を着脱自在に収納可能な電池ホルダと、前記電池ホルダを補聴器本体に組み付ける棒状の保持部材とを具備し、前記電池ホルダが前記保持部材を支点に回動して開閉する補聴器であって、前記電池ホルダには、前記ボタン型電池の外周面を取り囲む内周面と、前記ボタン型電池の１対の電極を部分的に覆う１対の電極カバー部とにより、前記ボタン型電池の収納空間及び開口部分が構成され、前記電池ホルダのうち前記内周面の一端の近傍には、前記内周面から前記開口部分に突出する突出部を有するストッパ部材が設けられ、前記突出部から前記内周面の他端に至る前記開口部分の長さは、前記ボタン型電池の直径よりも短く、かつ、前記電池ホルダと前記ストッパ部材の一方又は両方の変形（弾性による伸縮や撓み等）により前記開口部分を介して前記ボタン型電池を前記収納空間に挿入可能に設定され、前記ストッパ部材は、前記保持部材を介して、前記電池ホルダの取付部に着脱自在に取り付けられることを特徴としている。
【手続補正３】
【補正対象書類名】明細書
【補正対象項目名】００１３
【補正方法】変更
【補正の内容】
【００１３】
また、上記課題を解決するために、本発明の電池ホルダは、着脱自在に取り付けられて開状態と閉状態とを移行可能であり、内部の収納空間にボタン型電池を着脱自在に収納可能な電池ホルダであって、前記ボタン型電池の外周面を取り囲む内周面と、前記ボタン型電池の１対の電極を部分的に覆う１対の電極カバー部とにより前記収納空間及び開口部分が構成され、前記電池ホルダのうち前記内周面の一端の近傍には、前記内周面から前記開口部分に突出する突出部を有するストッパ部材が設けられ、前記突出部から前記内周面の他端に至る前記開口部分の長さは、前記ボタン型電池の直径よりも短く、かつ、前記電池ホルダと前記ストッパ部材の一方又は両方の変形により前記開口部分を介して前記ボタン型電池を前記収納空間に挿入可能に設定され、前記ストッパ部材は、棒状の保持部材を介して、前記電池ホルダの取付部に着脱自在に取り付けられることを特徴としている。